(57)【要約】【課題】フォントとパーツを選択してスタンプを作成する手段と作成したスタンプをミラー反転する手段と作成したスタンプを表示する手段と使用頻度に応じてフォントとパーツを表示する手段とを備えた画像形成装置を提供すること。【解決手段】ミラー機能とスタンプ印字機能選択時（Ｓ３０１；Ｙ、Ｓ３０２；Ｙ）、フォントとパーツの選択画面よりスタンプのフォントとパーツを選択し（Ｓ３０３）、使用頻度に応じてフォントとパーツを並べ替え（Ｓ３０４）、その結果をフォントとパーツの選択画面に表示する。作成したスタンプ画像をプレビュー画面に表示し（Ｓ３０５）、作成したスタンプでよければ（Ｓ３０６；Ｙ）、原稿画像を読み取り（Ｓ３０７）、原稿画像とスタンプ画像をミラー反転し（Ｓ３０８）、ミラー反転させた原稿画像とスタンプ画像を合成し（Ｓ３０９）、転写紙に出力する（Ｓ３１０）。【選択図】  図４
2005014328.tif 000002
【特許請求の範囲】
【請求項１】
原稿画像を読み取る画像読取手段と、
この画像読取手段で読み取った原稿画像を出力する画像出力手段と、
この画像出力手段にて原稿画像を出力する際に複数のフォントの中のいずれかのフォントでスタンプ印字を行うスタンプ印字手段と、
このスタンプ印字手段を用いるか否かの選択を受領する選択手段と、
この選択手段にて前記スタンプ印字手段を用いるとの選択を受領した時、複数のフォントの中からどのフォントでスタンプ印字を行うかの選択を受領するスタンプフォント種類選択手段と、を備えたことを特徴とする画像形成装置。
【請求項２】
原稿画像を読み取る画像読取手段と、
この画像読取手段で読み取った原稿画像を出力する画像出力手段と、
この画像出力手段にて原稿画像を出力する際に複数のパーツで形成されたスタンプでスタンプ印字を行うスタンプ印字手段と、
前記スタンプ印字手段を用いるか否かの選択を受領する選択手段と、
前記選択手段にて前記スタンプ印字手段を用いるとの選択を受領した時、複数のパーツの中からどのパーツを組み合わせてスタンプ印字を行うかの設定を受領するスタンプパーツ設定手段と、
このスタンプパーツ設定手段によって設定されたパーツの組み合わせでスタンプを形成するスタンプ形成手段と、を備え、
前記スタンプ印字手段は、前記スタンプ形成手段によって形成されたスタンプでスタンプ印字を行うことを特徴とする画像形成装置。
【請求項３】
原稿画像を読み取る画像読取手段と、
この画像読取手段で読み取った原稿画像を出力する画像出力手段と、
この画像出力手段にて原稿画像を出力する際にスタンプ印字を行うスタンプ印字手段と、
前記画像出力手段にて原稿画像を出力する際に原稿画像をミラー反転させるミラー手段と、
前記スタンプ印字手段および前記ミラー手段を用いるか否かの選択を受領する選択手段と、を備え、
前記選択手段にて前記スタンプ印字手段および前記ミラー手段を用いるとの選択を受領した時、前記スタンプ印字手段が原稿画像にあわせてスタンプ画像もミラー反転させてスタンプ印字を行うことを特徴とする画像形成装置。
【請求項４】
前記スタンプ印字手段で印字しようとするスタンプ画像を、前記画像出力手段にて原稿画像を出力する前に表示する表示手段を備えたことを特徴とする、請求項１、請求項２、または請求項３記載の画像形成装置。
【請求項５】
前記スタンプフォント種類選択手段で選択されたフォントの選択回数をカウントするフォントカウント手段と、
このフォントカウント手段にてカウントしたフォントの選択回数の高い順にフォントを並べ替えるフォントソート手段と、
このフォントソート手段により並べ替えたフォント順にフォントを表示するフォント表示手段と、を備えたことを特徴とする請求項１記載の画像形成装置。
【請求項６】
前記スタンプパーツ設定手段で設定されたパーツの設定回数をカウントするパーツカウント手段と、
このパーツカウント手段にてカウントしたパーツの設定回数の高い順にパーツを並べ替えるパーツソート手段と、
このパーツソート手段により並べ替えたパーツ順にパーツを表示するパーツ表示手段と、を備えたことを特徴とする請求項２記載の画像形成装置。
【発明の詳細な説明】
【０００１】
【発明の属する技術分野】
本発明は、デジタル複写機等の画像形成装置に関し、特に、原稿画像とスタンプ画像を合成し、この合成画像を同一の転写紙に複写するスタンプ印字機能を有する画像形成装置に関する。
【０００２】
【従来の技術】
原稿画像とスタンプ画像との合成画像を同一の転写紙に複写するスタンプ印字機能を有する画像形成装置の利用範囲の広がりにより、ユーザーによる様々な要求が寄せられる様になってきている。その対策として以下の様な技術が開示されている。
【特許文献１】
特開平９−１８６８５０号公報
【特許文献２】
特開平１１−３１６５２２号公報
【０００３】
特許文献１は、原稿画像に書かれたマークを検出し、スタンプ画像を原稿画像のマーク位置に合成し、同一の転写紙に複写するスタンプ印字装置について述べている。
【０００４】
特許文献２は、原稿画像に合成するスタンプ画像において、スタンプの印字言語を複数種類に切り替えることの出来る画像形成装置について述べている。
【０００５】
【発明が解決しようとする課題】
従来の画像形成装置では、スタンプの位置、サイズ、色、方向の変更およびスタンプのユーザー登録、印字言語の切り替えは可能であったが、スタンプのフォント種類を選択することは不可能であった。そのため、例えば原稿画像のフォントがゴシック体であっても、スタンプのフォントが明朝体固定である場合、原稿画像とスタンプ画像が合成されて出力された合成画像には違和感があった。
また、従来のスタンプ印字機能は、固定されたデザインのスタンプとユーザーに登録されたスタンプについて、その位置、サイズ、色、方向等を設定するのみであり、スタンプのデザインは常に固定された１つの画像であった。そのため、細部までデザインを変更し、ユーザー好みの最適なスタンプを作成することができなかった。
【０００６】
また、従来のスタンプ印字機能は、固定されたデザインのスタンプとユーザーに登録されたスタンプについて、その位置、サイズ、色、方向等を設定するのみであり、スタンプのデザインは常に固定された１つの画像であった。そのため、細部までデザインを変更し、ユーザー好みの最適なスタンプを作成することができなかった。
【０００７】
また、従来の画像形成装置は、ミラー画像を形成するミラー機能選択時にスタンプ印字機能を選択した場合、原稿画像はミラー反転し出力されるが、スタンプ画像はミラー反転しないため、原稿画像とスタンプ画像が合成されて出力された合成画像には大変違和感があった。
【０００８】
また、ユーザーが自由に複数のパーツを組み合わせフォントを選択して作成したスタンプ画像を、ユーザーが確認できずに転写紙に複写してしまうと、スタンプのミスプリントに繋がる。
【０００９】
更に、スタンプを形成するフォントやパーツの種類が増えると、作成できるスタンプの種類も増え、よりユーザー好みのスタンプの作成が可能となるが、使用するフォントやパーツの選択作業が面倒になる。
【００１０】
そこで本発明の第１の目的は、ユーザーが原稿画像に合わせたスタンプのフォントの種類を選択することを可能とし、上記合成画像の違和感をなくすことができる画像形成装置を提供することである。
【００１１】
本発明の第２の目的は、スタンプを形成するためのパーツを複数用意し、それらのパーツをユーザーが自由に組み合わせてスタンプを作成することを可能とし、よりユーザー好みのスタンプを作成することができる画像形成装置を提供することである。
【００１２】
本発明の第３の目的は、ミラー機能選択時に原稿画像に加えスタンプ画像もミラー反転し、上記合成画像の違和感をなくすことができる画像形成装置を提供することである。
【００１３】
本発明の第４の目的は、ユーザーが自由に複数のパーツを組み合わせ、フォントを選択して作成したスタンプ画像をユーザーがプレビューで確認し、上記ミスプリントを防止することができる画像形成装置を提供することである。
【００１４】
本発明の第５の目的は、フォントやパーツを使用頻度の高いものからユーザーに提示し、上記選択作業を軽減することができる画像形成装置を提供することである。
【００１５】
【課題を解決するための手段】
請求項１記載の発明は、原稿画像を読み取る画像読取手段と、この画像読取手段で読み取った原稿画像を出力する画像出力手段と、この画像出力手段にて原稿画像を出力する際に複数のフォントの中のいずれかのフォントでスタンプ印字を行うスタンプ印字手段と、このスタンプ印字手段を用いるか否かの選択を受領する選択手段と、この選択手段にて前記スタンプ印字手段を用いるとの選択を受領した時、複数のフォントの中からどのフォントでスタンプ印字を行うかの選択を受領するスタンプフォント種類選択手段と、を備えたことにより、前記第１の目的を達成する。
【００１６】
請求項２記載の発明は、原稿画像を読み取る画像読取手段と、この画像読取手段で読み取った原稿画像を出力する画像出力手段と、この画像出力手段にて原稿画像を出力する際に複数のパーツで形成されたスタンプでスタンプ印字を行うスタンプ印字手段と、前記スタンプ印字手段を用いるか否かの選択を受領する選択手段と、前記選択手段にて前記スタンプ印字手段を用いるとの選択を受領した時、複数のパーツの中からどのパーツを組み合わせてスタンプ印字を行うかの設定を受領するスタンプパーツ設定手段と、このスタンプパーツ設定手段によって設定されたパーツの組み合わせでスタンプを形成するスタンプ形成手段と、を備え、前記スタンプ印字手段は、前記スタンプ形成手段によって形成されたスタンプでスタンプ印字を行うことにより、前記第２の目的を達成する。
【００１７】
請求項３記載の発明は、原稿画像を読み取る画像読取手段と、この画像読取手段で読み取った原稿画像を出力する画像出力手段と、この画像出力手段にて原稿画像を出力する際にスタンプ印字を行うスタンプ印字手段と、前記画像出力手段にて原稿画像を出力する際に原稿画像をミラー反転させるミラー手段と、前記スタンプ印字手段および前記ミラー手段を用いるか否かの選択を受領する選択手段と、を備え、前記選択手段にて前記スタンプ印字手段および前記ミラー手段を用いるとの選択を受領した時、前記スタンプ印字手段が原稿画像にあわせてスタンプ画像もミラー反転させてスタンプ印字を行うことにより、前記第３の目的を達成する。
【００１８】
請求項４記載の発明は、請求項１、請求項２、または請求項３記載の画像形成装置において、前記スタンプ印字手段で印字しようとするスタンプ画像を、前記画像出力手段にて原稿画像を出力する前に表示する表示手段を備えたことにより、前記第４の目的を達成する。
【００１９】
請求項５記載の発明は、請求項１記載の画像形成装置において、前記スタンプフォント種類選択手段で選択されたフォントの選択回数をカウントするフォントカウント手段と、このフォントカウント手段にてカウントしたフォントの選択回数の高い順にフォントを並べ替えるフォントソート手段と、このフォントソート手段により並べ替えたフォント順にフォントを表示するフォント表示手段と、を備えたことにより、前記第５の目的を達成する。
【００２０】
請求項６記載の発明は、請求項２記載の画像形成装置において、前記スタンプパーツ設定手段で設定されたパーツの設定回数をカウントするパーツカウント手段と、このパーツカウント手段にてカウントしたパーツの設定回数の高い順にパーツを並べ替えるパーツソート手段と、このパーツソート手段により並べ替えたパーツ順にパーツを表示するパーツ表示手段と、を備えたことにより、前記第５の目的を達成する。
【００２１】
【発明の実施の形態】
以下、本発明の好適な実施の形態について図１ないし図１１を参照して詳細に説明する。
図１は、本実施例に係る画像形成装置の構成を示したブロック図である。この画像形成装置は、操作部表示部１、読取部２、原稿給紙部３、原稿排紙部４、転写紙給紙部５、原稿レジスト検知手段６、転写紙長検知手段７、原稿幅検知手段８、作像部９、定着部１０、転写紙排紙部１１、画像処理部１２、原稿画像記憶部１３、原稿セット検知手段１４、ロール紙カット手段１５、スタンプフォント種類選択手段１６、スタンプパーツ設定手段１７、スタンプ形成手段１８、ミラー画像自動選択手段１９により構成されている。
【００２２】
操作部表示部１は、ユーザーが画像形成装置の持つ機能を設定するためのユーザーインタフェース部である。
読取部２は、原稿給紙部３より運ばれてきた原稿を露光し、原稿に書かれている内容を読み取り、画像の濃淡と画像位置の情報をデジタル信号に変換する。原稿給紙部３は、原稿を読取位置に運び、原稿排紙部４は、読み取りを終えた原稿の排紙を行う。原稿レジスト検知手段６は、原稿の読み取り開始と終了のトリガとなる手段であり、原稿幅検知手段８は、原稿の幅を検知する手段であり、原稿セット検知手段１４は、原稿給紙部３に原稿がセットされているかどうかを検知する手段である。
画像処理部１２は、読取部２から送られてくるデジタル信号に対してより良い画像が再現できるように処理を施し、原稿画像記憶部１３は、この処理された画像を記憶する。作像部９は、画像処理部１２で処理され再現された画像を感光体ドラムを媒体にして転写紙にトナー画像として転写し、定着部１０は、この転写紙に転写されたトナー画像を高い温度と圧力で転写紙に定着させ、転写紙排紙部１１は、この定着を終えた転写紙の排紙を行う。
【００２３】
転写紙給紙部５は、転写紙を給紙ロール、給紙トレイ、手差しトレイから給紙する。転写紙長検知手段７は、転写紙としてロール紙が選択された場合、転写紙の適切な長さを検知し、ロール紙カット手段１５は、この検知された長さで転写紙を切断する。
スタンプフォント種類選択手段１６は、スタンプ印字機能が選択された時、スタンプのフォント種類を選択することができる手段である。
スタンプパーツ設定手段１７は、スタンプ印字機能が選択された時、スタンプを形成する複数のパーツを組み合わせることができる手段であり、スタンプ形成手段１８は、スタンプパーツ設定手段１７によって設定されたパーツの組み合わせでスタンプを形成する手段である。
ミラー画像自動選択手段１９は、ミラー機能が選択された時、スタンプパーツの中からミラー画像にしたスタンプを自動的に選択する手段である。
【００２４】
まず、第１の実施例を図２を参照して説明する。図２は、第１の実施例の処理手順を示したフローチャートである。
第１の実施例に係る画像形成装置は、まず操作部表示部１にて選択された機能が、スタンプ印字機能であるか否かを判断する（ステップ１０１）。
選択された機能がスタンプ印字機能でなければ（ステップ１０１；Ｎ）、原稿の読み取りを行って原稿画像を取得し（ステップ１０９）、この原稿画像を転写紙に複写して出力する通常印刷を行い（ステップ１１０）、処理を終了する。
一方、選択された機能がスタンプ印字機能であれば（ステップ１０１；Ｙ）、スタンプのフォント種類を選択する（ステップ１０２）。スタンプのフォント種類の選択は、フォント選択画面からユーザーがフォントを選択することによって行われる。図５は、フォント選択画面例を示した図である。
【００２５】
次に、フォント選択画面のフォントを使用頻度の高い順に表示するために、使用頻度に応じてフォントの並べ替えを行う（ステップ１０３）。そして、ユーザーより選択されたフォントを用いて作成したスタンプの全体スタンプ画像を、全体スタンプ画像プレビュー画面に表示する（ステップ１０４）。図７は、全体スタンプ画像プレビュー画面例を示した図である。
そして、全体スタンプ画像プレビュー画面にて、ユーザーより選択されたフォントを用いて作成したスタンプがよいか否かを、「はい」か「いいえ」のボタンを押下することで確認する（ステップ１０５）。
ユーザーが「はい」を押下した場合（ステップ１０５；Ｙ）、原稿の読み取りを行って原稿画像を取得し（ステップ１０６）、この原稿画像と選択されたフォントを用いて作成したスタンプ画像とを合成して合成画像を取得し（ステップ１０７）、この合成画像を転写紙に複写して出力し（ステップ１０８）、処理を終了する。
一方、ユーザーが「いいえ」を押下した場合（ステップ１０５；Ｎ）、ステップ１０２以降の処理を繰り返す。
【００２６】
ここで、フォント選択画面とスタンプ画像プレビュー画面について説明を行う。フォント選択画面とスタンプ画像プレビュー画面は、ＬＣＤ（液晶ディスプレイ）に描画することで実現する。図８のＢは、使用頻度に応じてフォントを並べ替えた後のフォント選択画面例を示した図である。
図９は、原稿画像と選択されたフォントで作成したスタンプ画像の合成画像例を示した図である。
【００２７】
次に、第２の実施例を図３を参照して説明する。図３は、第２の実施例の処理手順を示したフローチャートである。
第２の実施例に係る画像形成装置は、まず操作部表示部１にて選択された機能が、スタンプ印字機能であるか否かを判断する（ステップ２０１）。
選択された機能がスタンプ印字機能でなければ（ステップ２０１；Ｎ）、原稿の読み取りを行って原稿画像を取得し（ステップ２０９）、この原稿画像を転写紙に複写して出力する通常印刷を行い（ステップ２１０）、処理を終了する。
一方、選択された機能がスタンプ印字機能であれば（ステップ２０１；Ｙ）、スタンプを形成するパーツを選択する（ステップ２０２）。スタンプを形成するパーツの選択は、スタンプ形成パーツ選択画面からユーザーがパーツを選択することによって行われる。図６は、スタンプ形成パーツ選択画面例を示した図である。
【００２８】
次に、スタンプ形成パーツ選択画面のパーツを使用頻度の高い順に表示するために、使用頻度に応じてパーツの並べ替えを行う（ステップ２０３）。そして、ユーザーより選択されたパーツを用いて作成したスタンプの全体スタンプ画像を、全体スタンプ画像プレビュー画面に表示する（ステップ２０４）。図７は、全体スタンプ画像プレビュー画面例を示した図である。
そして、全体スタンプ画像プレビュー画面にて、ユーザーより選択されたパーツを用いて作成したスタンプがよいか否かを、「はい」か「いいえ」のボタンを押下することで確認する（ステップ２０５）。
ユーザーが「はい」を押下した場合（ステップ２０５；Ｙ）、原稿の読み取りを行って原稿画像を取得し（ステップ２０６）、この原稿画像と選択されたパーツを用いて作成したスタンプ画像とを合成して合成画像を取得し（ステップ２０７）、この合成画像を転写紙に複写して出力し（ステップ２０８）、処理を終了する。
一方、ユーザーが「いいえ」を押下した場合（ステップ２０５；Ｎ）、ステップ２０２以降の処理を繰り返す。
【００２９】
ここで、スタンプ形成パーツ選択画面とスタンプ画像プレビュー画面について説明を行う。スタンプ形成パーツ選択画面とスタンプ画像プレビュー画面は、ＬＣＤ（液晶ディスプレイ）に描画することで実現する。図８のＡは、使用頻度に応じてパーツを並べ替えた後のスタンプ形成パーツ選択画面例を示した図である。
図１０は、原稿画像と選択されたパーツで作成したスタンプ画像の合成画像例を示した図である。
【００３０】
次に、第３の実施例を図４を参照して説明する。図４は、第３の実施例の処理手順を示したフローチャートである。
第３の実施例に係る画像形成装置は、まず操作部表示部１にて選択された機能が、ミラー機能であるか否かを判断する（ステップ３０１）。
選択された機能がミラー機能でなければ（ステップ３０１；Ｎ）、原稿の読み取りを行って原稿画像を取得し（ステップ３１１）、この原稿画像を転写紙に複写して出力する通常印刷を行い（ステップ３１２）、処理を終了する。
一方、選択された機能がミラー機能であれば（ステップ３０１；Ｙ）、操作部表示部１にて続けて選択された機能が、スタンプ印字機能であるか否かを判断する（ステップ３０２）。
続けて選択された機能がスタンプ印字機能でなければ（ステップ３０２；Ｎ）、原稿の読み取りを行って原稿画像を取得し（ステップ３１３）、この原稿画像をミラー反転させたミラー画像を転写紙に複写して出力するミラー画像印刷を行い（ステップ３１４）、処理を終了する。
【００３１】
一方、続けて選択された機能がスタンプ印字機能であれば（ステップ３０２；Ｙ）、ユーザーはフォント選択画面からフォントを、スタンプ形成パーツ選択画面からパーツを選択する（ステップ３０３）。図５はフォント選択画面例を、図６はスタンプ形成パーツ選択画面例を示した図である。
次に、フォント選択画面のフォントを使用頻度の高い順に表示するために使用頻度に応じてフォントの並べ替えを、スタンプ形成パーツ選択画面のパーツを使用頻度の高い順に表示するために使用頻度に応じてパーツの並べ替えを行う（ステップ３０４）。
【００３２】
そして、ユーザーより選択されたフォントとパーツを用いて作成したスタンプの全体スタンプ画像を、全体スタンプ画像プレビュー画面に表示する（ステップ３０５）。図７は、全体スタンプ画像プレビュー画面例を示した図である。
次に、全体スタンプ画像プレビュー画面にて、ユーザーより選択されたフォントとパーツを用いて作成したスタンプがよいか否かを、「はい」か「いいえ」のボタンを押下することで確認する（ステップ３０６）。
ユーザーが「はい」を押下した場合（ステップ３０６；Ｙ）、原稿の読み取りを行って原稿画像を取得し（ステップ３０７）、選択されたフォントとパーツを用いて作成したスタンプのスタンプ画像を、あらかじめミラー反転されたスタンプ画像のビットマップから取得し、自動的にミラー画像にする（ステップ３０８）。このスタンプ画像のミラー画像と、ステップ３０７で取得した原稿画像のミラー画像とを合成して合成画像を取得し（ステップ３０９）、この合成画像を転写紙に複写して出力し（ステップ３１０）、処理を終了する。
一方、ユーザーが「いいえ」を押下した場合（ステップ３０６；Ｎ）、ステップ３０３以降の処理を繰り返す。
【００３３】
ここで、フォント選択画面とスタンプ形成パーツ選択画面とスタンプ画像プレビュー画面について、説明を行う。フォント選択画面とスタンプ形成パーツ選択画面とスタンプ画像プレビュー画面は、ＬＣＤ（液晶ディスプレイ）に描画することで実現する。また、図８のＢは使用頻度に応じてフォントを並べ替えた後のフォント選択画面例を、図８のＡは使用頻度に応じてパーツを並べ替えた後のスタンプ形成パーツ選択画面例とを示した図である。
図１１は、原稿画像と選択されたフォントとパーツで作成したスタンプ画像の合成画像例を示した図である。
【００３４】
【発明の効果】
請求項１記載の画像形成装置によれば、ユーザーがスタンプのフォントの種類を選択することができるので、原稿画像のフォントに合わせてスタンプのフォントを選択することにより、違和感のない原稿画像とスタンプ画像との合成画像を得ることができる。
【００３５】
請求項２記載の画像形成装置によれば、ユーザーがスタンプのパーツを自由に組み合わせてスタンプを作成することができるので、よりユーザー好みのスタンプを作成することができる。
【００３６】
請求項３記載の画像形成装置によれば、原稿画像に加え、スタンプ画像についてもミラー反転することにより、違和感のない原稿画像とスタンプ画像との合成画像を得ることができる。
【００３７】
請求項４記載の画像形成装置によれば、ユーザーがフォントとパーツを自由に組み合わせて形成したスタンプのスタンプ画像を、プレビューとしてＬＣＤ等に画面表示することで、転写紙に複写する前に確認することができるので、スタンプのミスプリントを防止することができる。
【００３８】
請求項５記載の画像形成装置によれば、ユーザーが選択したスタンプのフォントを使用頻度に応じて並べ替え、ＬＣＤ等に画面表示することで、ユーザーがスタンプを作成する際のフォントの選択作業を軽減させることができる。
【００３９】
請求項６記載の画像形成装置によれば、ユーザーが選択したスタンプのパーツを使用頻度に応じて並べ替え、ＬＣＤ等に画面表示することで、ユーザーがスタンプを作成する際のパーツの選択作業を軽減させることができる。
【図面の簡単な説明】
【図１】本実施例に係る画像形成装置の構成を示したブロック図である。
【図２】第１の実施例の処理手順を示したフローチャートである。
【図３】第２の実施例の処理手順を示したフローチャートである。
【図４】第３の実施例の処理手順を示したフローチャートである。
【図５】フォント選択画面例を示した図である。
【図６】スタンプ形成パーツ選択画面例を示した図である。
【図７】全体スタンプ画像プレビュー画面例を示した図である。
【図８】使用頻度に応じてフォントを並べ替えた後のフォント選択画面例と、使用頻度に応じてパーツを並べ替えた後のスタンプ形成パーツ選択画面例とを示した図である。
【図９】原稿画像と選択されたフォントで作成したスタンプ画像の合成画像例を示した図である。
【図１０】原稿画像と選択されたパーツで作成したスタンプ画像の合成画像例を示した図である。
【図１１】原稿画像と選択されたフォントとパーツで作成したスタンプ画像の合成画像例を示した図である。
【符号の説明】
１    操作部表示部
２    読取部
３    原稿給紙部
４    原稿排紙部
５    転写紙給紙部
６    原稿レジスト検知手段
７    転写紙長検知手段
８    原稿幅検知手段
９    作像部
１０  定着部
１１  転写紙排紙部
１２  画像処理部
１３  原稿画像記憶部
１４  原稿セット検知手段
１５  ロール紙カット手段
１６  スタンプフォント種類選択手段
１７  スタンプパーツ設定手段
１８  スタンプ形成手段
１９  ミラー画像自動選択手段
【図１】
2005014328.tif 000003
【図２】
2005014328.tif 000004
【図３】
2005014328.tif 000005
【図４】
2005014328.tif 000006
【図５】
2005014328.tif 000007
【図６】
2005014328.tif 000008
【図７】
2005014328.tif 000009
【図８】
2005014328.tif 000010
【図９】
2005014328.tif 000011
【図１０】
2005014328.tif 000012
【図１１】
2005014328.tif 000013